(57)【要約】【課題】無駄なインク消費を低減し、かつ効率の良い高速な印刷を行なえるインクジェット記録装置及びその制御方法、プログラムを提供する。【解決手段】ＭＰＵ４２は、外部機器から受信する記録データに基づいて、記録ヘッド１の予備吐出動作の予備吐出時間間隔を選択する。前回の予備吐出動作からの経過時間を予備吐出タイマー６０で計測する。そして、その経過時間と選択された予備吐出時間間隔に基づいて、予備吐出動作を制御する。また、ＭＰＵ４２は、記録データに基づいて、記録モードがモノクロモードであるかカラーモードであるかを判定し、その判定された記録モードに対応する予備吐出時間間隔を選択する。【選択図】　図１
2004090264.tif 000002
【特許請求の範囲】
【請求項１】
インクを吐出する吐出口を有する記録ヘッドを用いて、記録データに基づく記録を行なうインクジェット記録装置であって、
前記記録データに基づいて、前記記録ヘッドの予備吐出動作の予備吐出時間間隔を選択する選択手段と、
前回の予備吐出動作からの経過時間を計測する計測手段と、
前記経過時間と前記選択手段で選択された予備吐出時間間隔に基づいて、前記予備吐出動作を制御する制御手段と
を備えることを特徴とするインクジェット記録装置。
【請求項２】
記録データに基づいて、記録モードがモノクロモードであるかカラーモードであるかを判定する判定手段を更に備え、
前記選択手段は、前記判定手段で判定された記録モードに対応する予備吐出時間間隔を選択する
ことを特徴とする請求項１に記載のインクジェット記録装置。
【請求項３】
前記モノクロモードに対応する予備吐出時間間隔は、前記カラーモードに対応する予備吐出時間間隔よりも長い
ことを特徴とする請求項２に記載のインクジェット記録装置。
【請求項４】
前記予備吐出動作は、予備吐出量が異なる第１及び第２予備吐出動作を有し、
前記制御手段は、前記経過時間と前記選択手段で選択された予備吐出時間間隔に基づいて、前記第１あるいは第２予備吐出動作を実行する
ことを特徴とする請求項１に記載のインクジェット記録装置。
【請求項５】
記録データに基づく予備吐出モードを指定する指定手段を更に備え、
前記指定手段で予備吐出モードが指定されている場合、前記制御手段は、前記記録データと前記指定手段で指定されている予備吐出モードに基づいて、前記第１あるいは第２予備吐出動作を実行する
ことを特徴とする請求項４に記載のインクジェット記録装置。
【請求項６】
前記記録データに基づいて、記録モードが、大きい吐出量のインク滴のみで記録を行なう第１記録モードであるか、小さい吐出量のインク滴を少なくとも用いて記録を行なう第２記録モードであるかを判定する判定手段を更に備え、
前記選択手段は、前記判定手段で判定された記録モードに対応する予備吐出時間間隔を選択する
ことを特徴とする請求項１に記載のインクジェット記録装置。
【請求項７】
前記第１記録モードに対応する予備吐出時間間隔は、前記第２記録モードに対応する予備吐出時間間隔よりも長い
ことを特徴とする請求項６に記載のインクジェット記録装置。
【請求項８】
インクを吐出する吐出口を有する記録ヘッドを用いて、記録データに基づく記録を行なうインクジェット記録装置の制御方法であって、
前記記録データに基づいて、前記記録ヘッドの予備吐出動作の予備吐出時間間隔を選択する選択工程と、
前回の予備吐出動作からの経過時間を計測する計測工程と、
前記経過時間と前記選択工程で選択された予備吐出時間間隔に基づいて、前記予備吐出動作を制御する制御工程と
を備えることを特徴とするインクジェット記録装置の制御方法。
【請求項９】
記録データに基づいて、記録モードがモノクロモードであるかカラーモードであるかを判定する判定工程を更に備え、
前記選択工程は、前記判定工程で判定された記録モードに対応する予備吐出時間間隔を選択する
ことを特徴とする請求項８に記載のインクジェット記録装置の制御方法。
【請求項１０】
前記モノクロモードに対応する予備吐出時間間隔は、前記カラーモードに対応する予備吐出時間間隔よりも長い
ことを特徴とする請求項９に記載のインクジェット記録装置の制御方法。
【請求項１１】
前記予備吐出動作は、予備吐出量が異なる第１及び第２予備吐出動作を有し、
前記制御工程は、前記経過時間と前記選択工程で選択された予備吐出時間間隔に基づいて、前記第１あるいは第２予備吐出動作を実行する
ことを特徴とする請求項８に記載のインクジェット記録装置の制御方法。
【請求項１２】
記録データに基づく予備吐出モードを指定する指定工程を更に備え、
前記指定工程で予備吐出モードが指定されている場合、前記制御工程は、前記記録データと前記指定工程で指定されている予備吐出モードに基づいて、前記第１あるいは第２予備吐出動作を実行する
ことを特徴とする請求項１１に記載のインクジェット記録装置の制御方法。
【請求項１３】
前記記録データに基づいて、記録モードが、大きい吐出量のインク滴のみで記録を行なう第１記録モードであるか、小さい吐出量のインク滴を少なくとも用いて記録を行なう第２記録モードであるかを判定する判定工程を更に備え、
前記選択工程は、前記判定工程で判定された記録モードに対応する予備吐出時間間隔を選択する
ことを特徴とする請求項８に記載のインクジェット記録装置の制御方法。
【請求項１４】
前記第１記録モードに対応する予備吐出時間間隔は、前記第２記録モードに対応する予備吐出時間間隔よりも長い
ことを特徴とする請求項１３に記載のインクジェット記録装置の制御方法。
【請求項１５】
インクを吐出する吐出口を有する記録ヘッドを用いて、記録データに基づく記録を行なうインクジェット記録装置を制御するためのプログラムであって、
前記記録データに基づいて、前記記録ヘッドの予備吐出動作の予備吐出時間間隔を選択する選択工程のプログラムコードと、
前回の予備吐出動作からの経過時間を計測する計測工程のプログラムコードと、
前記経過時間と前記選択工程で選択された予備吐出時間間隔に基づいて、前記予備吐出動作を制御する制御工程のプログラムコードと
を備えることを特徴とするプログラム。
【発明の詳細な説明】
【０００１】
【発明の属する技術分野】
本発明は、インクを吐出する吐出口を有する記録ヘッドを用いて、記録データに基づく記録を行なうインクジェット記録装置及びその制御方法、プログラムに関するものである。
【０００２】
【従来の技術】
インクジェット記録方法は、低騒音、低ランニングコスト、装置が小型化しやすい、カラ−化が容易等からプリンタや複写機等に利用されている。
【０００３】
インクジェット記録方式は、記録ヘッドからインク液滴を紙、ＯＨＰフィルム等の記録媒体に吐出させて記録する方式である。そのため、吐出した主インク滴以外に発生した微細なインク滴（ミスト）や記録媒体へ吐出したインク滴の跳ね返り等によって記録ヘッドの吐出口面にインクが付着し、これが吐出口の周りに多量に集まったり、又これに紙粉等の異物が付着すると吐出が阻害されて思わぬ方向に吐出したり（ヨレなど）、インク液滴が吐出しない（不吐出）といった弊害を引き起こす。
【０００４】
そこで、インクジェット記録装置では、ミストや記録媒体からのインク滴の跳ね返りによる吐出口面の不要なインク及び紙粉等のインク吐出部の付着物を清掃除去する工程としてゴム等の弾性部材で形成したブレードと、記録手段の吐出口面を相対移動により掃拭（ワイピング）する構成を一般的に採用している。このワイピング動作は、インクジェット記録装置の信頼性を高めるための重要な技術となっている。
【０００５】
従来のインクジェット記録装置のワイピング動作の制御においては、記録時間による制御や記録ドット数による制御、さらにはこれらを組み合わせた制御が行われている。
【０００６】
このワイピング動作は、記録ヘッドの吐出口面に付着したインクの濡れが吐出不良を引き起こす前に実行されるように設定されるのが一般的である。
【０００７】
例えば、特開平７−１２５２２８号では、記録ドット数および記録時間をカウントし、記録ドット数及び記録時間のそれぞれに基づいて記録中のワイピング動作の時期を制御している。
【０００８】
オンデマンド型のインクジェット記録方式の記録動作においては、一つの記録ヘッドに設けられた複数の吐出口の全てを常に使用しているわけではなく、ある時間以上は使用されない不使用ノズルがある。また、カラー記録装置のように複数の記録ヘッドを有する場合でも、記録データが転送されない（記録をしない）記録ヘッド全体が不使用の場合もある。
【０００９】
このように吐出口面がキャップされない状態で、記録ヘッドを搭載するキャリッジが走査または停止されると、ある時間連続してインク吐出が行われない吐出口面及び吐出口内のインクが蒸発乾燥してしまい、結果として吐出性能の低下、記録画像の低下を引き起こしてしまう現象が生じる。この現象を防止するために、インクジェット記録装置では、一般的にある時間間隔毎に記録データとは無関係に所定の場所でインクの吐出を行い、記録ヘッドのノズル内のインクを排出してフレッシュなインクにすることによって吐出状態を常に適性に保つことが行われている。このようなインク吐出動作は、予備吐出動作と呼ばれている。
【００１０】
この予備吐出動作は、前述したワイピング動作の後にも行われるのが通常である。これは、ワイピング動作によってワイパーブレードに付着した増粘したインクなどが吐出口内に押し込まれることが有り、このワイパーブレードにより押し込まれたインクを排除するために、予備吐出動作を行う。
【００１１】
上記予備吐出動作による吐出インクは、被記録媒体やインクジェット記録装置内部に飛散して汚れが発生しないように、回復動作を行う回復ユニットのキャップ内や別に設けた予備吐出位置と呼ばれる場所に向けて吐出され、最終的に廃インクタンク内に貯蔵される。
【００１２】
また、ノズル内に気泡が入ったり、ノズル内のインクが増粘・固着することによりノズル内に目詰まりが発生した場合や、ワイピング動作や予備吐出動作では除去しきれなかった吐出口面の異物等を取り除く手段としては、キャップとこれに接続された吸引ポンプからなる吸引回復機構がある。
【００１３】
これは、吸引ポンプによって発生された負圧によりノズル内からインクを吸出し、記録ヘッド内の気泡や増粘したインクや異物などが取り除かれ、正常な吐出に回復することを行っている。この吸引回復動作の後には、記録ヘッドの吐出口面に残留したインク滴を除去するためにワイピング動作を行い、さらに予備吐出動作を行うようにするのが一般的である。
【００１４】
【発明が解決しようとする課題】
上述の予備吐出動作の時間間隔は、記録ヘッドの吐出特性に応じて設定され、インクの組成や吐出ノズル形態や駆動素子の能力などによって異なっている。最近では、画質を向上させるために画像の記録密度が増加してきており、これと共に吐出量もだんだん小さくなってきている。
【００１５】
また、黒インクを吐出する記録ヘッドとカラーインクを吐出する記録ヘッドの吐出量が異なるものや、さらに同じノズルから吐出量の異なるインク滴（例えば、大小液滴）を切り換えて吐出させることが可能な記録ヘッドも製品化されている。
【００１６】
また、近年、カラープリンタが主流となりインクの数も増え、インクジェット記録装置の記録ヘッドは、染料インクや顔料インク、さらにはインクによる画像品位や画像信頼性（耐水性など）を向上させるための透明あるいは半透明な画像品位向上液なども吐出させるようになってきている。
【００１７】
これらインクや液体は画像品位や画像信頼性をさらに向上させるために日々改良が行われている。インクジェット記録装置においては、インク（または液体）の組成が異なることによる物性の違いによって吐出性能が異なる場合もある。このように記録ヘッドから吐出されるインクの種類および吐出量などが異なる場合、各記録ヘッドによってインクの吐出安定性も異なる。
【００１８】
従って、複数の記録ヘッドを用いた記録ヘッドの場合、先に述べた予備吐出の時間間隔は一番吐出特性の不安定な記録ヘッドに最適な時間間隔に合わせることが必要となってくる。このため、記録データによっては、吐出特性の一番安定している記録ヘッドしか用いない場合でも、一番吐出特性の低い記録ヘッドに合わせて短い時間間隔にて予備吐出を行う必要があった。
【００１９】
特に、インクジェット記録装置では、黒とカラーではその特性が異なる場合が多い。例えば、黒インクが顔料インクでカラーインクが染料インクである場合や、黒インクは紙に対して浸透性があまりなく、カラーインクは紙に対して浸透しやすい場合や、さらに、黒インクの吐出量がカラーインクの吐出量よりも大きい場合などがある。
【００２０】
このように、黒とカラーでその特性を異ならせている理由としては、黒インクは文字品位を重視し、カラーインクは発色性や色境界のにじみなどを考慮しているためである。そのため、黒インクを吐出する記録ヘッドとカラーインクを吐出する記録ヘッドとは吐出特性が異なる場合がある。
【００２１】
これにより、ある時間連続してインク吐出が行われない吐出口は、インクが蒸発乾燥してしまい結果として吐出性能の低下、更には、記録画像の低下を引き起こす。そして、この吐出性能の低下の度合いも異なることがあるので、従来は吐出性能の低いものに合せて予備吐出動作制御を行っていた。
【００２２】
また、吐出量が大きいノズルの方が発熱素子の発泡力が大きくなるように設計されているため、予備吐出の最適時間間隔が長いという傾向がある。最近のインクジェット記録装置では、高画質化のために記録ヘッドの解像度は高く、吐出量が小さくなってきており、予備吐出の時間間隔は短くなる傾向にある。予備吐出の時間間隔が短くなるということは、予備吐出をする頻度が高くなることであり、スループットを低下させる要因になる。
【００２３】
さらに、近年、記録データに応じてページ内でも記録モードを切り換えて記録することが行われており、記録データの色情報に応じて印刷モードを制御し、高速に印刷することが特開平０８‐１５６３３１号で提案されている。このような場合、ページ内において記録データに応じて印刷モードを切り換えても常に予備吐出時間間隔を一定にしてしまうと、印刷モードによっては必要以上に予備吐出をしてしまうことが生じてしまう。
【００２４】
また、記録に使用されるインクの種類を記録前に検出する検出手段を有し、記録に関与するインクあるいは記録ヘッドに関する回復動作と記録に関与しないインクあるいは記録ヘッドに関する回復動作の内容を異ならせるように制御することが、特開平０９−０１１５０５号に記載されている。これは記録に使用しないノズルからの回復によるインクの消費をしないようにした制御であり、これには記録データに応じて予備吐出時間間隔を変えることや吐出ノズルによる最適予備吐時間間隔の違いなどについての記載は何ら無い。
【００２５】
また、特開２００１−１２１７２４には、高画質記録モードによる記録の前に吐出口からインクを予備吐出する際にカラーインクよりブラックインクの吐出回数を少なくすることが提案されており、実施形態中にはファイン記録か否かで予備吐出条件を変えているが、記録データに応じて予備吐出時間間隔を変えることや、記録ヘッドやインクによって最適予備吐出時間間隔が異なることなどについては何ら開示されていない。
【００２６】
本発明は上記課題を解決するためになされたものであり、無駄なインク消費を低減し、かつ効率の良い高速な印刷を行なえるインクジェット記録装置及びその制御方法、プログラムを提供することを目的とする。
【００２７】
【課題を解決するための手段】
上記の目的を達成するための本発明によるインクジェット記録装置は以下の構成を備える。即ち、
インクを吐出する吐出口を有する記録ヘッドを用いて、記録データに基づく記録を行なうインクジェット記録装置であって、
前記記録データに基づいて、前記記録ヘッドの予備吐出動作の予備吐出時間間隔を選択する選択手段と、
前回の予備吐出動作からの経過時間を計測する計測手段と、
前記経過時間と前記選択手段で選択された予備吐出時間間隔に基づいて、前記予備吐出動作を制御する制御手段と
を備える。
【００２８】
また、好ましくは、記録データに基づいて、記録モードがモノクロモードであるかカラーモードであるかを判定する判定手段を更に備え、
前記選択手段は、前記判定手段で判定された記録モードに対応する予備吐出時間間隔を選択する。
【００２９】
また、好ましくは、前記モノクロモードに対応する予備吐出時間間隔は、前記カラーモードに対応する予備吐出時間間隔よりも長い。
【００３０】
また、好ましくは、前記予備吐出動作は、予備吐出量が異なる第１及び第２予備吐出動作を有し、
前記制御手段は、前記経過時間と前記選択手段で選択された予備吐出時間間隔に基づいて、前記第１あるいは第２予備吐出動作を実行する。
【００３１】
また、好ましくは、記録データに基づく予備吐出モードを指定する指定手段を更に備え、
前記指定手段で予備吐出モードが指定されている場合、前記制御手段は、前記記録データと前記指定手段で指定されている予備吐出モードに基づいて、前記第１あるいは第２予備吐出動作を実行する。
【００３２】
また、好ましくは、前記記録データに基づいて、記録モードが、大きい吐出量のインク滴のみで記録を行なう第１記録モードであるか、小さい吐出量のインク滴を少なくとも用いて記録を行なう第２記録モードであるかを判定する判定手段を更に備え、
前記選択手段は、前記判定手段で判定された記録モードに対応する予備吐出時間間隔を選択する。
【００３３】
また、好ましくは、前記第１記録モードに対応する予備吐出時間間隔は、前記第２記録モードに対応する予備吐出時間間隔よりも長い。
【００３４】
上記の目的を達成するための本発明によるインクジェット記録装置の制御方法は以下の構成を備える。即ち、
インクを吐出する吐出口を有する記録ヘッドを用いて、記録データに基づく記録を行なうインクジェット記録装置の制御方法であって、
前記記録データに基づいて、前記記録ヘッドの予備吐出動作の予備吐出時間間隔を選択する選択工程と、
前回の予備吐出動作からの経過時間を計測する計測工程と、
前記経過時間と前記選択工程で選択された予備吐出時間間隔に基づいて、前記予備吐出動作を制御する制御工程と
を備える。
【００３５】
上記の目的を達成するための本発明によるプログラムは以下の構成を備える。即ち、
インクを吐出する吐出口を有する記録ヘッドを用いて、記録データに基づく記録を行なうインクジェット記録装置を制御するためのプログラムであって、
前記記録データに基づいて、前記記録ヘッドの予備吐出動作の予備吐出時間間隔を選択する選択工程のプログラムコードと、
前回の予備吐出動作からの経過時間を計測する計測工程のプログラムコードと、
前記経過時間と前記選択工程で選択された予備吐出時間間隔に基づいて、前記予備吐出動作を制御する制御工程のプログラムコードと
を備える。
【００３６】
【発明の実施の形態】
以下、図面を参照して本発明の好適な実施形態を詳細に説明する。
【００３７】
＜実施形態１＞
図１は本発明に適用したインクジェット記録装置の概略図を示す図である。
【００３８】
図１において、１は記録ヘッド（カートリッジ）であり、上方に４つのインクタンク部、下方に各インクタンクに対応する記録ヘッド部を有しており、さらに記録ヘッド部を駆動するための信号などを受容するためのコネクタが設けてある。
【００３９】
尚、以下の説明では、各インクタンクとそれに対応する記録ヘッド部全体を記録ユニット１Ａ〜１Ｄと呼び、これら記録ユニット１Ａ〜１Ｄの全体または任意の一つを指す場合でも、単に記録ヘッド１で示すことにする。
【００４０】
２は、キャリッジである。キャリッジ２には、記録ヘッド１が有する４個の記録ヘッドユニット１Ａ，１Ｂ，１Ｃ，１Ｄが位置決めして交換可能に搭載されており、かつ記録ヘッドユニット１Ａ，１Ｂ，１Ｃ，１Ｄの各記録ヘッド部を駆動するための信号等を伝達するためのコネクタホルダーが設けてあり、記録ヘッド部と電気的に接続されるようになっている。記録ヘッドユニット１Ａ，１Ｂ，１Ｃ，１Ｄに対応する各インクタンク部にはそれぞれ異なる色のインクが収容されており、例えば、イエロー（Ｙ）、マゼンタ（Ｍ）、シアン（Ｃ）、ブラック（Ｂｋ）インクを収納しそれぞれのインクで吐出記録する。
【００４１】
尚、以下の説明において、イエロー（Ｙ）、マゼンタ（Ｍ）、シアン（Ｃ）、の各色に対応する記録ヘッドユニット１Ａ，１Ｂ，１Ｃをまとめてカラー記録ヘッド、ブラック（Ｂｋ）に対応する記録ヘッドユニット１Ｄをブラック記録ヘッドと呼ぶ場合がある。
【００４２】
実施形態１では、ブラックインクに顔料インクを使用し、カラーインク（Ｙ，Ｍ，Ｃインク）に染料インクを使用している。また、ブラックインクの１ドット辺りのインク量は約３０ｐｌ、カラーインクの１ドット辺りのインク量は約５ｐｌとしている。実施形態１で使用する各記録ヘッド部の各色の最適予備吐出時間は、例えば、ブラック記録ヘッドが約１０秒、カラー記録ヘッドは約５秒であるとする。そして、このように使用するインクの種類やノズルからのインク吐出量の違いなどによって最適な予備吐出時間間隔は異なってくる。
【００４３】
キャリッジ２は、主走査方向に延在させて装置本体設置されたガイドシャフト３に沿って往復移動可能に案内指示されている。そして、キャリッジ２は主走査モータ４により、モータプーリ５、従動プーリ６およびタイミングベルト７を介して駆動され、その位置および主走査方向への往復移動が制御される。
【００４４】
用紙などの被記録媒体８は、記録ヘッド１による記録位置の前後に配置されている被記録媒体８の挟持搬送を行うための搬送ローラ対９、１０および１１、１２により、記録ヘッド部の吐出口面と対向する位置（記録部）を通して主走査方向とは略垂直な方向（副走査方向）へ搬送される。
【００４５】
被記録媒体８は、記録ヘッド１において平坦な記録面を形成するようにその裏面をプラテン（不図示）により支持されている。この時、キャリッジ２に搭載された記録ヘッド１は、キャリッジ２から下方へ突出して搬送ローラ１０、１２間に位置し、記録ヘッド１の吐出口形成面は被記録媒体８の記録面に平行に対向するようになっている。
【００４６】
実施形態１のインクジェット記録装置においては、回復系ユニット１４が図１の左側にあるホームポジション側に配設してある。回復系ユニット１４において、１５は記録ヘッド１の吐出口面にそれぞれ対応して設けたキャップであり、上下方向に昇降可能である。そして、キャリッジ２がホームポジションにあるときには記録ヘッド１の吐出口面と接合して、これをキャッピングし、記録ヘッド１の吐出口内のインクが乾燥蒸発することによる増粘・固着やごみなどの付着によって吐出不良になるのを防いでいる。
【００４７】
また、キャップ１５はポンプ１６と連通されており、記録ヘッド１が万一吐出不良になった場合や吐出口内にインクがなくなった時、キャップ１５と記録ヘッド１の吐出口面とを接合させ、ポンプ１６を用いてキャップ１５内に負圧を生じさせてインクを吸引排出する吸引回復動作も行う。
【００４８】
また、キャップ１５は予備吐出を行う場所も兼ねている。ある時間連続してインク吐出が行われない吐出口は、インクが蒸発乾燥してしまい結果として吐出性能の低下記録画像の低下を引き起こす。そのため、これを防止するためにインクジェット記録装置では、一般的にある時間間隔毎に、記録データとは無関係に所定の場所でインク吐出を行いノズル内のインクを排出することで、フレッシュなインクにする予備吐出と呼ばれる動作を行っている。予備吐出を行う場所は、キャップ１５内に限らず、別の場所に予備吐出部を設けるように構成されることもある。
【００４９】
さらに、１８はゴムなどの弾性部材で形成されたワイピング部材としてのブレードであり、１７はブレード１８を保持するためのブレードホルダーである。ブレード１８は吐出口面を傷つけることのないように、一般的に記録ヘッド１より低い硬度の材料で作られている。また、ブレード１８と記録ヘッド１との相対的な位置関係に対する許容度を増すために、ブレード１８は弾性部材で作られる場合が多い。
【００５０】
ブレード１８に使用される材料としては、天然ゴム、ニトリルゴム、ブタジエンゴム、クロロプレンゴム、ブチルゴム、塩素化ブチルゴム、シリコンゴム、ポリスチレンラバー、ポリ塩化ビニル、ポリウレタンゴム等の弾性体が一般的に使用される。また、その他にポリウレタン、ポリエチレンなどの発泡体または焼結体が使用されることもある。
【００５１】
実施形態１においては、キャリッジ２の移動によって駆動されるブレード昇降機構（不図示）により、ブレードホルダー１７に支持されたブレード１８は記録ヘッド部の吐出口形成面に付着したインクをワイピングすべく突出（上昇）した位置（ワイピング位置）と、記録ヘッド１の吐出口面と干渉しないように後退（下降）した位置（待機位置）とに昇降可能となっている。
【００５２】
そして、キャリッジ２が図中左のホームポジションのキャップ位置へ移動した時にブレード１８がワイピング位置に上昇するようにしてある。また、キャップ位置から記録領域側へ移動するときに、ブレード１８は記録ヘッド１の吐出口面と当接しながら相対移動してワイピングが行われる。さらに、キャリッジ２が記録領域側に移動してブレード１８が吐出口面から外れると、ブレード１８は待機位置に降下し、吐出口面と干渉しなくなるようになっている。
【００５３】
記録ヘッド１は、熱エネルギーを利用してインクを吐出するインクジェット記録手段であって、熱エネルギーを発生するための電気熱変換体を備えたものである。
【００５４】
図２は実施形態１の記録ヘッド１のインク吐出部（記録吐出部）１３の構造を模式的に示す部分斜視図である。
【００５５】
図２において、被記録媒体８と所定の間隔（例えば、約０．５〜２．０ミリ程度）をおいて対面する吐出口面２１には、所定のピッチで複数の吐出口２２が形成され、共通液室２３と吐出口２２とを連通する各液路２４の壁面に沿ってインク吐出のためのエネルギーを発生する電気熱変換体（発熱抵抗体など）２５が配置されている。
【００５６】
実施形態１において、記録ヘッド１は、吐出口２２の列がキャリッジ２の主走査方向と交叉する方向に並ぶような位置関係でキャリッジ２に搭載されている。そして、記録ヘッド１は、駆動信号を印加することによって電気熱変換体２５に熱エネルギーを発生せしめ、この熱エネルギーによって液路２４内のインクを膜沸騰させ、この気泡の成長・収縮によって生じる圧力によってインク滴を吐出させて記録を行うものである。
【００５７】
上述のように構成されたインクジェット記録装置の各部を制御する制御回路の一例を、図３を参照して説明する。
【００５８】
図３は実施形態１のインクジェット記録装置の制御回路を示す図である。
【００５９】
４１は記録データを入力するインターフェースであり、このインターフェース４１を介してホストコンピュータ等の外部機器で生成された記録データを受信することが可能である。４２はマイクロプロセッサユニット（ＭＰＵ）である。また、４３は、ＭＰＵ４２が実行する、後述する各種フローチャートを実行するためのプログラムを含む制御プログラムを格納するプログラムＲＯＭである。また、以下に説明する予備吐出時間間隔、各種閾値等の記録関連情報もここに格納されている。
【００６０】
４４は記録データや記録ヘッド１に供給される記録用画像データ等の各種データを保存しておくＤＲＡＭである。４５は記録ヘッド１に対する記録用画像データの供給制御を行うゲートアレイであり、インターフェース４１とＭＰＵ４２とＤＲＡＭ４４との間のデータの転送制御も行うようになっている。
【００６１】
４６は電気的に読み書き可能なＥＥＰＲＯＭであり、このＥＥＰＲＯＭ４６に記憶されたデータはインクジェット記録装置の電源を切られても保持されるようになっている。このデータには、例えば、インクジェット記録装置の実行した累積記録枚数、インク残量や廃インク量等の情報がある。
【００６２】
４は記録ヘッド１を搭載したキャリッジ２を搬送するためのキャリアモータである。２０は被記録媒体８の搬送のための搬送モータである。４７は記録ヘッド１を駆動するためのヘッドドライバである。４８と４９はそれぞれ搬送モータ２０とキャリアモータ４を駆動するためのモータドライバである。
【００６３】
５０は各種センサであり、被記録媒体８の有無を検出するセンサやキャリッジ２のホームポジションセンサや温度センサ等であり、これらのセンサにより、キャリッジ２の位置や被記録媒体８の有無や環境温度を認識することができる。
【００６４】
インターフェース４１に記録データが入力されると、ゲートアレイ４５とＭＰＵ４２との間で記録データが記録用画像データに変換される。そして、モータドライバ４８、４９が駆動されるとともに、ヘッドドライバ４７に送られる画像データに従って記録ヘッド１が駆動され、記録が行われる。
【００６５】
６０は、前回の予備吐出からの経過時間を計測する予備吐出タイマーであり、ＭＰＵ４２によって、その動作が制御される。
【００６６】
実施形態１では、記録データの色情報を管理し、その色情報に応じて予備吐出時間間隔を設定し、この設定された予備吐出時間間隔にて記録データの印刷を行う構成について説明する。この構成によれば、記録データに最適な予備吐出間隔で効率的に記録を行うことができる。
【００６７】
具体的には、実施形態１では、ブラック記録ヘッドの最適予備吐出時間間隔をＴＢＫＹ、カラー記録ヘッドの最適予備吐出時間間隔をＴＣＬＹとし、ＴＢＫＹ＞ＴＣＬＹという関係にある記録ヘッド１を用い、記録データの色情報に応じて、モノクロモード（ブラックインクのみで記録するモード）とカラーモード（ブラックインク及びカラーインクで記録するモード、またはカラーインクのみで記録するモード）に切り換え、それぞれのモードに応じて予備吐出時間間隔を変更する。
【００６８】
また、予備吐出動作による予備吐出量とは、１回の予備吐出動作によって吐出される吐出量、あるいは複数回の予備吐出動作によって吐出される総吐出量を意味するものである。つまり、予備吐出量は、吐出回数（吐出発数）×吐出量で規定されるものである。
【００６９】
以下、実施形態１のインクジェット記録装置における予備吐出動作の詳細について、図４を用いて説明する。
【００７０】
図４は実施形態１のインクジェット記録装置の予備吐出動作を示すフローチャートである。
【００７１】
まず、ステップＳ１０１で、記録命令を受信した時に、キャッピングされていればキャップ１５を離脱させ、被記録媒体８を給紙する。次に、ステップＳ１０２で、ＢＫ，Ｃ，Ｍ，Ｙの記録ヘッド部の全てのノズルより予備吐出位置にて予備吐出を行う。次に、ステップＳ１０３で、前回の予備吐出からの経過時間Ｔを計測する予備吐出タイマー６０をリセットしてスタートさせる。
【００７２】
次に、ステップＳ１０４で、これから記録する記録データがモノクロモードかカラーモードかを判定する。この判定は、記録走査における記録データ中にＣ，Ｍ，Ｙのカラーデータが有るか無いかを判定し、Ｃ，Ｍ，Ｙのカラーデータのうち、少なくとも１つがある場合にはカラーモードと判定する。一方、ブラックのモノクロデータのみである場合にはモノクロモードと判定する。
【００７３】
ステップＳ１０４において、モノクロモードである場合（ステップＳ１０４でＹＥＳ）、ステップＳ１０５に進み、前回の予備吐出からの予備吐出タイマー６０の経過時間ＴがＢｋヘッドの最適予備吐出時間間隔ＴＢＫＹ以上であるか否かを判定する。経過時間ＴがＴＢＫＹ未満である場合（ステップＳ１０５でＮＯ）、ステップＳ１０８に進む。そして、ステップＳ１０８で、モノクロモードで記録ヘッド１の１走査分の記録動作を実行し、所定量の被記録媒体８の搬送を行う。
【００７４】
一方、経過時間ＴがＴＢＫＹ以上である場合（ステップＳ１０５でＹＥＳ）、ステップＳ１０６に進み、ＢＫ，Ｃ，Ｍ，Ｙの記録ヘッド部の全てのノズルより予備吐出位置にて予備吐出を実行する。次に、ステップＳ１０７で、再度予備吐出タイマー６０をリセットして再スタートさせる。次に、ステップＳ１０８で、モノクロモードで記録ヘッド１の１走査分の記録動作を実行し、所定量の被記録媒体８の搬送を行う。
【００７５】
一方、ステップＳ１０４において、カラーモードである場合（ステップＳ１０４でＮＯ）、ステップＳ１０９に進み、前回の予備吐出からの予備吐出タイマー６０の経過時間Ｔがカラーノズルの最適予備吐出時間間隔ＴＣＬＹ以上であるか否かを判定する。経過時間ＴがＴＣＬＹ未満である場合（ステップＳ１０９でＮＯ）、ステップＳ１１２に進む。
【００７６】
一方、経過時間ＴがＴＣＬＹ以上である場合（ステップＳ１０９でＹＥＳ）、ステップＳ１１０に進み、Ｂｋ，Ｃ，Ｍ，Ｙの記録ヘッド部の全てのノズルより予備吐出位置にて予備吐出を実行する。次に、ステップＳ１１１で、予備吐出タイマー６０をリセットして再スタートさせる。次に、ステップＳ１１２で、カラーモードで記録ヘッド１の１走査分の記録を実行し、所定量の被記録媒体８の搬送を行う。
【００７７】
ステップＳ１１３で、記録すべき記録データが引き続き残っているか否かを判定する。記録データが残っている場合（ステップＳ１１３でＮＯ）、ステップＳ１０４に戻り、記録すべてき記録データが終了するまで、同様に記録走査を繰り返す。そして、被記録媒体８に対応する１頁分の記録データが終了すれば（ステップＳ１１３でＹＥＳ）、ステップＳ１１４に進み、被記録媒体８の排紙動作を行い、キャッピング動作を実行して終了する。
【００７８】
以上説明したように、実施形態１によれば、これから記録する記録データに応じて最適な予備吐出時間にて予備吐出動作を行うように制御するため、モノクロデータのみのモノクロモードでの記録走査時は予備吐出回数を少なくでき、また、カラーモードに切り換った時には、それに対応した予備吐出ができる。これにより、効率の良い記録が行える。
【００７９】
＜実施形態２＞
実施形態２は、実施形態１の応用例であり、カラーモードにおいて、２種類の最適予備吐出時間間隔ＴＣＬＹ１とＴＣＬＹ２を閾値として設定し、これらの閾値と予備吐出タイマー６０の経過時間Ｔとの関係に基づいて、２種類の予備吐出を行なう構成について説明する。
【００８０】
図５は実施形態２のインクジェット記録装置の予備吐出動作を示すフローチャートである。
【００８１】
尚、図５において、ステップＳ２０１〜ステップＳ２０８は、実施形態１の図４のステップＳ１０１〜ステップ１０８と同じ処理であるため、その説明は省略する。
【００８２】
ステップＳ２０４において、カラーモードである場合（ステップＳ２０４でＮＯ）、ステップＳ２０９に進み、前回の予備吐出からの予備吐出タイマー６０の経過時間Ｔがカラーヘッドの最適予備吐出時間間隔（第１閾値）ＴＣＬＹ１以上であるか否かを判定する。経過時間ＴがＴＣＬＹ１未満である場合（ステップＳ２０９でＮＯ）、ステップＳ２１４に進む。ステップＳ２１４で、カラーモードで記録ヘッド１の１走査分の記録動作を実行し、所定量の被記録媒体８の搬送を行う。
【００８３】
一方、経過時間ＴがＴＣＬＹ１以上である場合（ステップＳ２０９でＹＥＳ）、スッテプ２１０に進み、経過時間Ｔが第２閾値ＴＣＬＹ２以上であるか否かを判定する。経過時間ＴがＴＣＬＹ２未満である場合（ステップＳ２１０でＮＯ）、ステップＳ２１１に進み、予備吐出位置にて予備吐出Ａを実行する。一方、経過時間ＴがＴＣＬＹ２以上である場合（ステップＳ２１０でＹＥＳ）、ステップＳ２１２に進み、予備吐出位置にて予備吐出Ｂを実行する。
【００８４】
尚、予備吐出Ｂの予備吐出量は、予備吐出Ａの予備吐出量よりも多くなるように設定されている。
【００８５】
ステップＳ２１３で、予備吐出タイマー６０をリセットし再スタートさせる。次に、ステップＳ２１４で、カラーモードで記録ヘッド１の１走査分の記録を実行し、所定量の被記録媒体８の搬送を行う。
【００８６】
ステップＳ２１５で、記録すべき記録データが引き続き残っているか否かを判定する。記録データが残っている場合（ステップＳ２１５でＮＯ）、ステップＳ２０４に戻り、記録すべき記録データが終了するまで、同様に記録走査を繰り返す。そして、被記録媒体８に対応する１頁分の記録データが終了すれば（ステップＳ２１５でＹＥＳ）、ステップＳ２１６に進み、被記録媒体８の排紙動作を行い、キャッピング動作を実行して終了する。
【００８７】
実施形態２では、ブラック記録ヘッドの最適予備吐出時間をＴＢＫＹ＝１０秒、カラー記録ヘッドの最適予備吐出時間間隔をＴＣＬＹ１＝５秒、第２閾値ＴＣＬＹ２＝６秒に設定している。
【００８８】
これは、前回の記録走査までモノクロモードで記録していて、途中からカラーモードに切り換った場合に、カラーの記録にも関わらず経過時間Ｔがカラー記録ヘッドの最適予備吐時間間隔ＴＣＬＹ１を越えて１０秒近くに達している場合がある。このような場合、モノクロモードからカラーモードに切り換った最初の時には、カラー記録ヘッドの吐出状態がより不安定な状態になっているため、通常（予備吐出Ａ）よりも少なくともカラー記録ヘッドの予備吐出量を多くしてやることにより、カラー記録ヘッドの吐出安定性をより確実にすることができる。
【００８９】
以上説明したように、実施形態２によれば、カラーモードにおいて、２種類の閾値を設定することにより、経過時間Ｔがカラー記録ヘッドの最適予備吐出時間に近いか、またはカラー記録ヘッドの最適予備吐出時間を大幅に越えてしまっているかを判断して予備吐出量を制御することができる。特に、実施形態２は、ブラック記録ヘッドの最適予備吐出時間とカラー記録ヘッドの最適予備吐出時間が大きく異なる場合に特に有効となる。
【００９０】
＜実施形態３＞
実施形態３は、実施形態２の応用例であり、カラー記録ヘッドの最適予備吐出時間間隔が実施形態２の場合よりも短い場合を想定して、記録走査ごとに予備吐出を行う構成について説明する。
【００９１】
図６は実施形態３のインクジェット記録装置の予備吐出動作を示すフローチャートである。
【００９２】
まず、ステップＳ３０１で、記録命令を受信した時に、キャッピングされていればキャップ１５を離脱させ、被記録媒体８を給紙する。次に、ステップＳ３０２で、ＢＫ，Ｃ，Ｍ，Ｙの記録ヘッド部の全てのノズルより予備吐出位置にて予備吐出を行う。次に、ステップＳ３０３で、予備吐出タイマー６０をリセットしてスタートさせる。
【００９３】
次に、ステップＳ３０４で、記録中に行う予備吐出モードの初期設定としてカラーモードに対するカラー予備吐出モード（ＣＯＬＯＲ）を指定し、変数ＰｒｅｈｅａｔＭｏｄｅをＣＯＬＯＲに設定する。この変数ＰｒｅｈｅａｔＭｏｄｅは、これからの予備吐出の間隔や予備吐出の種類を何にするかを決定するための変数である。
【００９４】
次に、ステップ３０５で、これから記録する記録データがモノクロモードかカラーモードかを判定する。モノクロモードである場合（ステップＳ３０６でＹＥＳ）、ステップ３０６に進み、現在の予備吐出モードがＣＯＬＯＲモードであるか否かを判定する。ＣＯＬＯＲモードでない場合（ステップＳ３０６でＮＯ）、ステップＳ３０８に進む。一方、ＣＯＬＯＲモードである場合（ステップＳ３０６でＹＥＳ）、ステップＳ３０７に進み、予備吐出モードの変数ＰｒｅｈｅａｔＭｏｄｅに、モノクロモードに対するモノクロ予備吐出モード（ＭＯＮＯ）を設定する。これにより、予備吐出モードがＭＯＮＯモードに設定したことがＤＲＡＭ４４に記憶される。
【００９５】
ステップ３０８で、前回の予備吐出からの予備吐出タイマー６０の経過時間Ｔがブラック記録ヘッドの最適予備吐出時間間隔ＴＢＫＹ以上であるか否かを判定する。経過時間ＴがＴＢＫＹ未満である場合（ステップＳ３０８でＮＯ）、ステップＳ３１１に進む。そして、ステップＳ３１１で、モノクロモードで記録ヘッド１の１走査分の記録動作を実行し、所定量の被記録媒体８の搬送を行う。
【００９６】
一方、経過時間ＴがＴＢＫＹ以上である場合（ステップＳ３０８でＹＥＳ）、ステップＳ３０９に進み、予備吐出位置にて予備吐出Ａを実行する。次に、ステップＳ３１０で、予備吐出タイマー６０をリセットして再スタートさせる。次に、ステップＳ３１１で、モノクロモードで記録ヘッド１の１走査分の記録動作を実行し、所定量の被記録媒体８の搬送を行う。
【００９７】
一方、カラーモードである場合（ステップＳ３０４でＮＯ）、ステップＳ３１２に進み、現在の予備吐出モードがＣＯＬＯＲモードであるか否かを判定する。ＣＯＬＯＲモードである場合（ステップＳ３１２でＹＥＳ）、ステップＳ３１５に進み、予備吐出位置にて予備吐出Ａを実行する。一方、ＣＯＬＯＲモードでない場合（ステップＳ３１２でＮＯ）、ステップＳ３１３に進み、予備吐出モードの変数ＰｒｅｈｅａｔＭｏｄｅに、ＣＯＬＯＲを設定する。これにより、予備吐出モードがカラー予備吐出モードに設定したことがＤＲＡＭ４４に記憶される。そして、ステップＳ３１４で、予備吐出位置にて予備吐出Ｂを実行する。
【００９８】
尚、予備吐出Ｂの予備吐量は、予備吐出Ａの予備吐出量よりも多くなるように設定されている。
【００９９】
ステップＳ３１６で、予備吐出タイマー６０をリセットし再スタートさせる。次に、ステップＳ３１７で、カラーモードで記録ヘッド１の１走査分の記録を実行し、所定量の被記録媒体８の搬送を行う。
【０１００】
ステップＳ３１８で、記録すべき記録データが引き続き残っているか否かを判定する。記録データが残っている場合（ステップＳ３１８でＮＯ）、ステップＳ３０５に戻り、記録すべき記録データが終了するまで、同様に記録走査を繰り返す。そして、被記録媒体８に対応する１頁分の記録データが終了すれば（ステップＳ３１８でＹＥＳ）、ステップＳ３１９に進み、被記録媒体８の排紙動作を行い、キャッピング動作を実行して終了する。
【０１０１】
実施形態３では、カラー記録ヘッドの最適予備吐出時間間隔が実施形態２の場合よりも短い場合を想定し、記録走査ごとに予備吐出を行うようにしたものであるが、これに加えて、実施形態２のように、最適予備吐出時間間隔と予備吐出タイマー６０の経過時間Ｔの比較を行い、その比較結果に基づいて、予備吐出動作を制御するようにして良い。
【０１０２】
以上説明したように、実施形態３によれば、ブラック予備吐出モードからカラー予備吐出モードに切り換ったことが、予備吐出モードの設定状況を規定する変数ＰｒｅｈｅａｔＭｏｄｅをチェックすることで判断できる。これにより、カラー記録ヘッドの最適予備吐出時間間隔がブラック記録ヘッドの最適予備吐出時間間隔との差が大きい場合でも予備吐出モードの切り換りを判断して、切り換り時にはより多くの予備吐出量で予備吐出を実行することにより、予備吐出時間間隔の長いブラック予備吐出モードから切り換った時のカラー記録ヘッドの吐出安定性を確保できる。
【０１０３】
尚、上述の実施形態３においては、予備吐出モードを規定する変数ＰｒｅｈｅａｔＭｏｄｅを設定して予備吐出モードを切り換えるようにしたが、これに限定されるものではなく記録モード等の情報から切り換るようにしても良い。
【０１０４】
また、上記各実施形態では、記録データに応じてモノクロモードとカラーモードに自動的に切りかえて、各記録モードに対応する予備吐出時間間隔を切りかえるようにしたが、これに限定されるものではない。例えば、記録ヘッドによっては、同じ色でも吐出量の異なるインク滴を吐出可能なものも製品化されており、記録データに応じて大きい吐出量のインク滴のみで記録を行なう記録モードと、小さい吐出量のインク滴を少なくとも用いて（小のみでも大小混在でも良い）記録を行なう記録モードとで予備吐出時間間隔を切りかえるようにしてもよい。
【０１０５】
更に、４色（Ｂｋ，Ｃ，Ｍ，Ｙ）の記録モードと、淡いインクや特色を用いた６色または７色の記録モードとで、予備吐出時間間隔を切りかえるようにしても良い。また、予備吐出時間間隔を３つ以上設定できるようにしても良い。
【０１０６】
加えて、用途や目的、あるいは記録ヘッド１の構造等のヘッド条件に基づいて、上記各実施形態を任意に組み合わせて、予備吐出動作を制御しても良いことは言うまでもない。
【０１０７】
このように、本発明によれば、ページ中でも記録データに応じて自動的に記録モードに対応する予備吐出動作を切り替えることができ、さらに切り替えられた記録モードに応じて予備吐出時間間隔を最適化するようにしたため、高速かつ安定した記録を行うことができる。
【０１０８】
尚、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【０１０９】
以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【０１１０】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【０１１１】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【０１１２】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。
【０１１３】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【０１１４】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【０１１５】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【０１１６】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【０１１７】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【０１１８】
【発明の効果】
以上説明したように、本発明によれば、無駄なインク消費を低減し、かつ効率の良い高速な印刷を行なえるインクジェット記録装置及びその制御方法、プログラムを提供できる。
【図面の簡単な説明】
【図１】本発明に適用したインクジェット記録装置の概略図を示す図である。
【図２】実施形態１の記録ヘッド１のインク吐出部（記録吐出部）１３の構造を模式的に示す部分斜視図である。
【図３】実施形態１のインクジェット記録装置の制御回路を示す図である。
【図４】実施形態１のインクジェット記録装置の予備吐出動作を示すフローチャートである。
【図５】実施形態２のインクジェット記録装置の予備吐出動作を示すフローチャートである。
【図６】実施形態３のインクジェット記録装置の予備吐出動作を示すフローチャートである。
【符号の説明】
１　記録ヘッド
２　キャリッジ
３　ガイドシャフト
４　モータ
５　モータプーリ
６　従動プーリ
７　タイミングベルト
８　被記録媒体
９〜１２　搬送ローラ対
１３　インク吐出部
１４　回復系ユニット
１５　キャップ
１６　ポンプ
１７　ブレードホルダー
１８　ブレード
２０　搬送モータ
２１　吐出口面
２２　吐出口
２３　共通液室
２４　液路
２５　電気熱変換体
４１　インターフェース
４２　ＭＰＵ
４３　ＲＯＭ
４４　ＤＲＡＭ
４５　ゲートアレイ
４６　ＲＯＭ
４７　ヘッドドライバ
４８、４９　モータドライバ
５０　センサ
６０　予備吐出タイマー
【図１】
2004090264.tif 000003
【図２】
2004090264.tif 000004
【図３】
2004090264.tif 000005
【図４】
2004090264.tif 000006
【図５】
2004090264.tif 000007
【図６】
2004090264.tif 000008